【手続補正書】
【提出日】平成16年4月23日(2004.4.23)
【手続補正１】
【補正対象書類名】明細書
【補正対象項目名】全文
【補正方法】変更
【補正の内容】
【発明の名称】パチンコ機
【特許請求の範囲】
【請求項１】機構盤と、前記機構盤の前面側に取り付けられる遊技盤とを備えたパチンコ機において、
前記遊技盤の裏面の少なくとも前記機構盤に当接する当接部分は、平らに削られることにより、遊技盤の前面側から所定の厚さに形成されていることを特徴とするパチンコ機。
【請求項２】前記所定の厚さは、前記遊技盤の厚さよりも薄いことを特徴とする請求項１に記載のパチンコ機。
【請求項３】前記機構盤は、前記遊技盤に当接する部分に位置決め凸部を備え、
前記遊技盤における当接部分には、前記位置決め凸部に対応する位置決め凹部が形成されることを特徴とする請求項１又は請求項２に記載のパチンコ機。
【発明の詳細な説明】
【０００１】
【発明の属する技術分野】
本発明は、機構盤前面側に取り付けられる遊技盤を備えたパチンコ機に関し、特に、遊技盤裏側の前記機構盤に当接する部分の厚さを所定の厚さに形成することにより、ガラス面と遊技盤の距離を一定にすることができ、パチンコ球の球飛びを安定させることができるパチンコ機に関するものである。
【０００２】
【従来の技術】
従来より、パチンコ機の遊技盤は、電動役物やゲート等の各種構造物が前面に取り付けられ、この各種構造物の周縁部にはパチンコ球の落下を変化させるための遊技くぎが所定位置に設けられている。そして、この遊技盤は、機構盤の前面にネジ等により取り付けられ、固定されている。また、この遊技盤の前面は、開閉自在に取り付けられるガラス扉によって覆われている。したがって、上方向から落下してくるパチンコ球は、各種構造物や遊技くぎに当たるとともに、ガラス扉のガラス面内側にも当たりながら不規則に落下方向を変えながら転動落下する。
【０００３】
【発明が解決しようとする課題】
しかしながら、遊技盤を構成するベニヤ合板の厚さにはバラツキ（約１ｍｍ程度）があるため、遊技盤を機構盤の前面に取り付けると、ガラス扉のガラス面内側と該遊技盤前面との距離が一定せず、パチンコ機毎にパチンコ球の球飛びが変化し、不安定であるという問題がある。
【０００４】
そこで、本発明は、上述した問題点を解決するためになされたものであり、遊技盤の裏面の機構盤に当接する部分を、遊技盤前面から所定の厚さになるように削ることによって、ガラス扉のガラス面内側と該遊技盤前面との距離を一定にすることができ、パチンコ機毎のパチンコ球の球飛びを安定させることができるパチンコ機を提供することを目的とする。
【０００５】
【課題を解決するための手段】
前記目的を達成するために、請求項１に係るパチンコ機は、機構盤と、前記機構盤の前面側に取り付けられる遊技盤とを備えたパチンコ機において、前記遊技盤の裏面の少なくとも前記機構盤に当接する当接部分は、平らに削られることにより、遊技盤の前面側から所定の厚さに形成されていることを特徴とする。
【０００６】
このような特徴を有する請求項１に係るパチンコ機においては、遊技盤裏面の機構盤に当接する当接部分は、平らに削られることにより、遊技盤の前面側から所定の厚さに形成されている。
これにより、機構盤は、金型プレス成型等によって高精度に加工されるため、遊技盤の機構盤に当接する当接部分の厚さを所定の厚さに形成することによって、遊技盤の前面とガラス扉のガラス内側面との距離を一定にすることができ、パチンコ機毎のパチンコ球の球飛びを安定させることができる。
【０００７】
また、請求項２に係るパチンコ機は、請求項１に記載のパチンコ機において、前記所定の厚さは、前記遊技盤の厚さよりも薄いことを特徴とする。
【０００８】
このような特徴を有する請求項２に係るパチンコ機は、請求項１に記載のパチンコ機において、遊技盤裏面の機構盤に当接する当接部分の厚さが、切削加工等により該遊技盤の厚さよりも薄く形成されている。
これにより、遊技盤の該機構盤に当接する当接部分の厚さを切削加工等により所定の厚さに容易に形成することができるため、容易に遊技盤の前面とガラス扉のガラス内側面との距離を一定にすることができ、パチンコ機毎のパチンコ球の球飛びを安定させることができる。
【０００９】
さらに、請求項３に係るパチンコ機は、請求項１又は請求項２に記載のパチンコ機において、前記機構盤は、前記遊技盤に当接する部分に位置決め凸部を備え、前記遊技盤における当接部分には、前記位置決め凸部に対応する位置決め凹部が形成されることを特徴とする。
【００１０】
このような特徴を有する請求項３に係るパチンコ機は、請求項１又は請求項２に記載のパチンコ機において、機構盤の遊技盤に当接する前面側に位置決め凸部が設けられ、遊技盤のこの位置決め凸部に当接する当接部分には、位置決め凸部に対応する位置に位置決め凹部が形成される。
これにより、位置決め凸部を位置決め凹部に嵌め込むことによって、遊技盤を所定の位置に位置決めできるとともに、遊技盤の機構盤に当接する当接部分が所定の厚さに形成されているため、遊技盤の前面とガラス扉のガラス内側面との距離を確実に一定にすることができ、パチンコ機毎のパチンコ球の球飛びを安定させることができる。
【００１１】
【発明の実施の形態】
以下、本発明に係るパチンコ機について、具体化した第１乃至第３の実施の形態を図面を参照して詳細に説明する。
先ず、第１実施形態に係るパチンコ機の全体構成について図１及び図２に基づいて説明する。図１は第１実施形態に係るパチンコ機全体を示した正面図である。図２は第１実施形態に係るパチンコ機全体を示した背面図である。
図１において、パチンコ機１は、いわゆる第一種パチンコ機である。パチンコ機１は、後述する入賞口、図柄表示装置、電動役物及び、ゲート等の各種構造物が遊技盤２上に配設されている。その遊技盤２の下には、賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球がハンドル６に連結された不図示の発射装置へ送られるよう構成されている。また、遊技盤２の両肩部には、賞球及び球切れ表示ランプ１０，１０が設けられている。
【００１２】
一方、遊技盤２の前側は、鋼板やステンレス等の金属製のガラス扉９により被覆されており、該ガラス扉９は、枠体１６（図２参照）の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、該ガラス保持枠に装着された２枚のガラス５１、５１（図４参照）を通して遊技領域を見ることができる。また、ガラス扉９の右上部には、遊技中のエラーを表示するエラー表示ランプ７や「当たり」を表示する当たり表示ランプ８，８が取り付けられている。
【００１３】
また、パチンコ機１における遊技盤２上の遊技領域の構成について説明する。この遊技領域は、所定厚さの板材をなした遊技盤２上に入賞口などの各構造物が所定の位置に取り付けられ、それを囲むように環状のレール１３が取り付けられて構成されている。このレール１３は、発射されたパチンコ球を遊技領域内に案内する重複して形成した案内路１４を構成し、右肩部にはレール１３に沿って打ち込まれるパチンコ球の進行を制限するための段差部４２を有する。そして、その段差部４２には軸支された返しゴム（図示されていない）が配設されている。
【００１４】
また、遊技領域のほぼ中央には、図柄表示装置１１が取り付けられている。この図柄表示装置１１は、左、中、右に３分割された特別図柄を表示する映像表示装置１２が遊技盤２の裏面側から設けられている。
【００１５】
次に、図２に基づいて遊技盤２の背後に設けられている合成樹脂製の機構セット盤１５の構成を説明する。このパチンコゲーム機１は、所定量のパチンコ球を賞球として払い出すものであり、枠体１６に対して開閉可能にネジ止めにより取り付けられた機構セット盤１５上に形成されている。
パチンコゲーム機１の最上段には、上方に開口した賞球タンク１７が機構セット盤１５に固定されている。賞球タンク１７の直上には補給装置１８が配設され、吐出部１８ａが垂下されている。賞球タンク１７は、傾斜した底面に連通孔が形成され、その連通孔下方にはパチンコ球を整列流出し得る傾斜したタンクレール１９が連設されている。
【００１６】
そして、送出樋２２の下流側には排出部が形成され、排出路２３ａ及び下部受け皿満タンスイッチが内装された排出路２３ｂが下端部下方に開口して形成されている。
【００１７】
また、機構セット盤１５のほぼ中央には遊技盤２裏面の入賞球集合樋（図示されていない）が嵌合し得る大きさの開口部２４が開設されており、該開口部２４はセンターカバー２５や各種ユニット機構体が配設される機構盤２６により覆われている。この機構盤２６の開口部２４に対向する部分には、開口部２４とほぼ同じ大きさの貫通孔が形成されている。そして、該機構盤２６の前面側には、前記遊技盤２がネジ止めにより取り付けられている。また、機構盤２６の前記貫通孔２４は、センターカバー２５により被覆されている。
【００１８】
次に、第１実施形態における遊技盤２の機構盤２６への取付構造について、図３及び図４に基づいて説明する。図３は第１実施形態に係る遊技盤２の外観図であり、（ａ）は遊技盤２の裏面図、（ｂ）は遊技盤２を矢印Ａ方向から見た側面図である。図４は第１実施形態に係るパチンコ機１の機構盤２６と遊技盤２の位置決め機構を含む要部拡大断面図である。
図３に示されるように、遊技盤２の裏面のほぼ中央には、映像表示装置１２が取り付けられる開口部５２が設けられ、また、機構盤２６に当接する裏面側四隅部分（図３（ａ）中、斜線部）の各取付面２Ａ、２Ｂ、２Ｃ、２Ｄは、この各取付面２Ａ、２Ｂ、２Ｃ、２Ｄと遊技盤２の前面側表面との厚さが、各々厚さＨ１（図３（ｂ）参照）を形成するように所定の深さまで平らに削られている。
また、対角線上に形成される各取付面２Ａ、２Ｃのほぼ中央位置には、所定深さの位置決め用座ぐり孔５３Ａ、５３Ｂが設けられている。
【００１９】
次に、図４に示されるように、金型プレス成型等により形成される金属製の機構盤２６の前記位置決め用座ぐり孔５３Ａ、５３Ｂに対応する位置には、各位置決め用座ぐり孔５３Ａ、５３Ｂの深さよりも低い高さを有する位置決めボス５４、５４が形成されている。そして、この機構盤２６は、機構セット盤１５の所定の位置にネジ止めされる。また、遊技盤２は、前面側表面に各種構造物や取付部品５５等を取付後、各位置決め用座ぐり孔５３Ａ、５３Ｂに所定の位置決めボス５４、５４を嵌め込まれつつ、機構盤２６の前面側にネジ止めされ、内側のガラス５１と遊技盤２の前面側表面との間に一定の距離Ｈ３が形成される。また、位置決め用座ぐり孔５３Ａ、５３Ｂの底面と位置決めボス５４、５４との間には距離Ｈ２の隙間が形成される。
【００２０】
以上詳細に説明した通り、第１実施形態のパチンコ機１においては、遊技盤２の裏面側の機構盤２６に当接する四隅部分の各取付面２Ａ、２Ｂ、２Ｃ、２Ｄが、遊技盤２の前面側表面から所定の厚さＨ１を形成するように削られ、対角線上に位置する各取付面２Ａ、２Ｃのほぼ中央位置に位置決め用座ぐり孔５３Ａ、５３Ｂを形成される。そして、機構セット盤１５に取り付けられた機構盤２６の各位置決めボス５４、５４を各位置決め用座ぐり孔５３Ａ、５３Ｂに嵌め込みつつ、遊技盤２を機構盤２６の前面側にネジ止めにより取り付ける。これにより、内側のガラス５１と遊技盤２の前面側表面との間に一定の距離Ｈ３が形成される。  したがって、遊技盤２の該機構盤２６に当接する部分の厚さを切削加工等により所定の厚さＨ１に容易に形成することができ、また、機構盤２６は、金型プレス成型等によって高精度に加工できるため、遊技盤２の前面とガラス扉９のガラス５１内側面との距離Ｈ３のバラツキを無くして一定にすることができ、パチンコ機１毎のパチンコ球の球飛びを安定させることができる。
また、各位置決めボス５４、５４を位置決め用座ぐり孔５３Ａ、５３Ｂに嵌め込むことによって、遊技盤２を精密な位置精度を持って容易に取り付けることができる。また、位置決め用座ぐり孔５３Ａ、５３Ｂの深さを位置決めボス５４、５４の高さよりも大きく形成することによって、機構盤２６の遊技盤２に当接する部分の全面を、確実に遊技盤２の各取付面２Ａ、２Ｂ、２Ｃ、２Ｄに当接することができるため、遊技盤２の前面とガラス扉９のガラス５１内側面との距離Ｈ３を確実に一定にすることができ、パチンコ機１毎のパチンコ球の球飛びを安定させることができる。
【００２１】
次に、第２実施形態に係るパチンコ機について図５及び図６に基づいて説明する。図５は第２実施形態に係る遊技盤６１の外観図であり、（ａ）は遊技盤６１の裏面図、（ｂ）は遊技盤６１を矢印Ｂ方向から見た側面図である。図６は第２実施形態に係るパチンコ機１の機構盤２６と遊技盤６１の位置決め機構を含む要部拡大断面図である。
第２実施形態に係るパチンコ機１の構成は、第１実施形態の構成とほぼ同じ構成であるが、図５に示されるように、遊技盤６１の構成は、第１実施形態の遊技盤２の各位置決め用座ぐり孔５３Ａ、５３Ｂに代えて、位置決め用の貫通孔５８Ａ、５８Ｂが設けられている。また、遊技盤６１の裏面のほぼ中央には、映像表示装置１２が裏面側から取付けられる開口部５２が形成され、また、機構盤２６に当接する裏面側四隅部分（図５（ａ）中、斜線部）の各取付面６２Ａ、６２Ｂ、６２Ｃ、６２Ｄは、遊技盤６１の前面側表面との厚さが、各々厚さＨ１（図５（ｂ）参照）を形成するように所定の深さまで平らに削られている。
そして、遊技盤６１の裏面側の対角線上に位置する各取付面６２Ａ、６２Ｃのほぼ中央位置には、位置決め用の貫通孔５８Ａ、５８Ｂが設けられている。
【００２２】
次に、図６に示されるように、金型プレス成型等により形成される金属製の機構盤６３の前記位置決め用の貫通孔５８Ａ、５８Ｂに対応する位置には、各取付面６２Ａ、６２Ｃの厚さＨ１よりも低い高さを有する位置決めボス６４、６４が形成されている。そして、この機構盤６３は、機構セット盤１５の所定の位置にネジ止めされる。次に、遊技盤６１は、前面側に各種構造物や取付部品５５等を取付後、各位置決め用の貫通孔５８Ａ、５８Ｂに所定の位置決めボス６４、６４を嵌め込みつつ、機構盤６３の前面側にネジ止めされ、内側のガラス５１と遊技盤６１の前面側表面との間に一定の距離Ｈ３が形成される。また、位置決め用の貫通孔５８Ａ、５８Ｂの遊技盤６１の前面側端面と位置決めボス６４、６４との間には距離Ｈ４の隙間が形成される。
【００２３】
以上詳細に説明した通り、第２実施形態のパチンコ機１においては、遊技盤６１の裏面側の機構盤６３に当接する四隅部分の各取付面６２Ａ、６２Ｂ、６２Ｃ、６２Ｄは、遊技盤６１の前面側表面から所定の厚さＨ１を形成するように削られ、対角線上に位置する各取付面６２Ａ、６２Ｃのほぼ中央位置に位置決め用の貫通孔５８Ａ、５８Ｂが形成される。そして、機構セット盤１５に取り付けられた機構盤６３の各位置決めボス６４、６４に各位置決め用の貫通孔５８Ａ、５８Ｂが嵌め込まれつつ、遊技盤６１は機構盤６３の前面側に取り付けられる。これにより、内側のガラス５１と遊技盤６１の前面側表面との間に一定の距離Ｈ３が形成される。
したがって、遊技盤６１の該機構盤６３に当接する部分の厚さを切削加工等により所定の厚さＨ１に容易に形成することができ、また、位置決め用の貫通孔５８Ａ、５８Ｂにすることにより容易に位置決め用の孔を形成することができる。また、機構盤６３は、金型プレス成型等によって高精度に加工できるため、遊技盤６１の前面とガラス扉９のガラス５１内側面との距離Ｈ３のバラツキを無くして一定にすることができ、パチンコ機１毎のパチンコ球の球飛びを安定させることができる。
また、各位置決めボス６４、６４を位置決め用の貫通孔５８Ａ、５８Ｂに嵌め込むことによって、遊技盤６１を高位置精度を持って容易に取り付けることができる。また、位置決めボス６４、６４の高さを各取付面６２Ａ、６２Ｃの厚さＨ１よりも低く形成することによって、位置決めボス６４が遊技盤６１の前面に配設される取付部品５５等に当たることがないため、機構盤６３の遊技盤６１に当接する部分の全面が、確実に遊技盤６１の各取付面６２Ａ、６２Ｂ、６２Ｃ、６２Ｄに当接されるため、遊技盤６１の前面とガラス扉９のガラス５１内側面との距離Ｈ３を確実に一定にすることができ、パチンコ機１毎のパチンコ球の球飛びを安定させることができる。
【００２４】
次に、第３実施形態に係るパチンコ機ついて図５及び図７に基づいて説明する。図７は第３実施形態に係るパチンコ機１の機構盤６５と遊技盤６１の位置決め機構を含む要部拡大断面図である。
第３実施形態に係るパチンコ機１の構成は、第２実施形態の構成とほぼ同じ構成であるが、図７に示されるように、機構盤６５の構成は、第２実施形態の機構盤６３の各位置決めボス６４、６４に代えて、位置決め用の貫通孔５８Ａ、５８Ｂの長さよりも長い高さを有する位置決め用ボス６６、６６が設けられている。よって、図７に示されるように、金型プレス成型等により形成される金属製の機構盤６５の遊技盤６１の位置決め用の貫通孔５８Ａ、５８Ｂに対応する位置には、各取付面６２Ａ、６２Ｃの厚さＨ１よりも高い高さを有する位置決めボス６６、６６が形成されている。そして、この機構盤６５は、機構セット盤１５の所定の位置にネジ止めされる。次に、遊技盤６１は、前面側に各種構造物や取付部品５６等を取付後、各位置決め用の貫通孔５８Ａ、５８Ｂに所定の位置決めボス６６、６６が嵌め込まれつつ、機構盤６５の前面側にネジ止めされ、内側のガラス５１と遊技盤６１の前面側表面との間に一定の距離Ｈ３が形成される。また、位置決め用の貫通孔５８Ａ、５８Ｂの遊技盤６１の前面側端面から位置決めボス６６、６６が高さＨ５だけ飛び出している。
【００２５】
以上詳細に説明した通り、第３実施形態のパチンコ機１においては、機構セット盤１５に取り付けられた機構盤６５の各位置決めボス６６、６６が、遊技盤６１の各取付面６２Ａ、６２Ｃの厚さＨ１よりも高い高さを有するように形成されている。そして、遊技盤６１は、各位置決めボス６６、６６を各位置決め用の貫通孔５８Ａ、５８Ｂに嵌め込まれつつ、機構盤６５の前面側に取り付けられる。これにより、内側のガラス５１と遊技盤６１の前面側表面との間に一定の距離Ｈ３が形成される。
したがって、遊技盤６１の該機構盤６３に当接する部分の厚さを切削加工等により所定の厚さＨ１に容易に形成することができ、また、位置決め用の貫通孔５８Ａ、５８Ｂをドリル加工等により容易に形成することができる。さらに、機構盤６５は、金型プレス成型等によって高精度に加工できるため、遊技盤６１の前面とガラス扉９のガラス５１内側面との距離Ｈ３のバラツキを無くして一定にすることができ、パチンコ機１毎のパチンコ球の球飛びを安定させることができる。
また、各位置決めボス６６、６６を位置決め用の貫通孔５８Ａ、５８Ｂに嵌め込むことによって、遊技盤６１を高位置精度に取り付けることができる。また、位置決めボス６６、６６の高さを各取付面６２Ａ、６２Ｃの厚さＨ１よりも高く形成することによって、位置決め用の貫通孔５８Ａ、５８Ｂを確実に塞ぐことができる。さらに、機構盤６５の遊技盤６１に当接する部分の全面が、確実に遊技盤６１の各取付面６２Ａ、６２Ｂ、６２Ｃ、６２Ｄに当接されるため、遊技盤６１の前面とガラス扉９のガラス５１内側面との距離Ｈ３を確実に一定にすることができ、パチンコ機１毎のパチンコ球の球飛びを安定させることができる。
【００２６】
尚、本発明は前記第１及び第３実施形態に限定されるものではなく、本発明の要旨を逸脱しない範囲内で種々の改良、変形が可能であることは勿論であり、以下のようにしてもよい。
（ａ）前記実施形態では、機構盤２６、６３、６５は、金属プレス成型品にしているが、合成樹脂成型品にしてもよい。
（ｂ）前記実施形態では、遊技盤２、６１の裏面の四隅に機構盤２６、６３、６５への取付面を形成しているが、遊技盤２、６１の裏面の任意の位置に取付面を形成して機構盤に取り付けるようにしてもよい。
（ｃ）前記実施形態では、遊技盤２、６１と機構盤２６、６３、６５とを２カ所で位置決めしたが、２カ所以上で位置決めしてもよい。
【００２７】
【発明の効果】
以上説明した通り、請求項１に係るパチンコ機では、遊技盤裏面の機構盤に当接する当接部分は、平らに削られることにより、遊技盤の前面側から所定の厚さに形成されている。
これにより、機構盤は、金型プレス成型等によって高精度に加工されるため、遊技盤の機構盤に当接する当接部分の厚さを所定の厚さに形成することによって、遊技盤の前面とガラス扉のガラス内側面との距離を一定にすることができ、パチンコ機毎のパチンコ球の球飛びを安定させることができるパチンコ機を提供することができる。
【００２８】
また、請求項２に係るパチンコ機では、請求項１に記載のパチンコ機において、遊技盤裏面の機構盤に当接する当接部分の厚さが、切削加工等により遊技盤の厚さよりも薄く形成されている。
これにより、遊技盤の機構盤に当接する当接部分の厚さを切削加工等により所定の厚さに容易に形成することができるため、容易に遊技盤の前面とガラス扉のガラス内側面との距離を一定にすることができ、パチンコ機毎のパチンコ球の球飛びを安定させることができるパチンコ機を提供することができる。
【００２９】
さらに、請求項３に係るパチンコ機では、請求項１又は請求項２に記載のパチンコ機において、機構盤の遊技盤に当接する前面側に位置決め凸部が設けられ、遊技盤のこの位置決め凸部に当接する当接部分には、位置決め凸部に対応する位置に位置決め凹部が形成される。
これにより、位置決め凸部を位置決め凹部に嵌め込むことによって、遊技盤を所定の位置に位置決めできるとともに、遊技盤の機構盤に当接する当接部分が所定の厚さに形成されているため、遊技盤の前面とガラス扉のガラス内側面との距離を確実に一定にすることができ、パチンコ機毎のパチンコ球の球飛びを安定させることができる
【図面の簡単な説明】
【図１】第１実施形態に係るパチンコ機全体を示した正面図である。
【図２】第１実施形態に係るパチンコ機全体を示した背面図である。
【図３】第１実施形態に係る遊技盤２の外観図であり、（ａ）は遊技盤２の裏面図、（ｂ）は遊技盤２を矢印Ａ方向から見た側面図である。
【図４】第１実施形態に係るパチンコ機１の機構盤２６と遊技盤２の位置決め機構を含む要部拡大断面図である。
【図５】第２実施形態に係る遊技盤６１の外観図であり、（ａ）は遊技盤６１の裏面図、（ｂ）は遊技盤６１を矢印Ｂ方向から見た側面図である。
【図６】第２実施形態に係るパチンコ機１の機構盤２６と遊技盤６１の位置決め機構を含む要部拡大断面図である。
【図７】第３実施形態に係るパチンコ機１の機構盤６５と遊技盤６１の位置決め機構を含む要部拡大断面図である。
【符号の説明】
１                                    パチンコ機
２、６１                              遊技盤
１５                                  機構セット盤
２６、６３、６５                      機構盤
５１                                  ガラス
５３Ａ、５３Ｂ                        位置決め用座ぐり孔
５４、６４、６６                      位置決めボス
５８Ａ、５８Ｂ                        位置決め用の貫通孔